(57)【要約】【課題】  パイプ接続の作業性を高めることができるパイプ接続構造の提供。【解決手段】  両フランジ３、３相互間に環状の締結用プレート４が介装され、該締結用プレート４の両面には軸部５１の先端に係合突部５２を備えた複数の係合ピン５がそれぞれ突出形成され、両フランジ３、３には係合ピン５を挿通可能な挿通孔３１が形成されると共に該挿通孔３１に挿通された係合ピン５の軸部５１を円周方向に回転移動可能な円弧状長孔３２が挿通孔３１に連続して形成され、両フランジ３、３における対向面とは反対側の面には円弧状長孔３２に沿って係合ピン５の係合突部５２が係合可能で挿通孔３１から遠ざかるにつれて浅くなるテーパー状係合溝３３が形成されている。【選択図】      図５
2008095814.tif 000002
【特許請求の範囲】
【請求項１】
接続すべき両パイプの管端付近にフランジがそれぞれ固定され、両フランジ同士を接続固定することにより両パイプの管端部を接続するようにしたパイプの接続部構造であって、
前記両フランジ相互間に環状の締結用プレートが介装され、
該締結用プレートの両面には軸部の先端に係合突部を備えた複数の係合ピンがそれぞれ突出形成され、
前記両フランジには前記係合ピンを挿通可能な挿通孔が形成されると共に該挿通孔に挿通された前記係合ピンの軸部を円周方向に回転移動可能な円弧状長孔が前記挿通孔に連続して形成され、
前記両フランジにおける対向面とは反対側の面には前記円弧状長孔に沿って前記係合ピンの係合突部が係合可能で前記挿通孔から遠ざかるにつれて浅くなるテーパー状係合溝が形成されていることを特徴とするパイプ接続構造。
【請求項２】
請求項１に記載のパイプ接続構造において、前記締結用プレートの外周面に前記両フランジの外周面より突出する回転操作用突部が形成されていることを特徴とするパイプ接続構造。
【請求項３】
請求項２に記載のパイプ接続構造において、前記回転操作用突部が前記締結用プレートの外周面に沿って歯車の歯状に形成された多数の突状部で構成されていることを特徴とするパイプ接続構造。
【発明の詳細な説明】
【技術分野】
【０００１】
本発明は、パイプ接続構造に関する。
【背景技術】
【０００２】
従来、パイプ接続構造としては、両パイプの接続端部に備えた締結フランジを複数のボルト・ナットで締結することによって接続させるようにしたものが知られている（例えば、特許文献１参照。）。
【特許文献１】特開平１１−３３６５４０号公報。
【発明の開示】
【発明が解決しようとする課題】
【０００３】
しかしながら、従来例のパイプ接続構造にあっては、複数のボルト・ナットをスパナ等の工具で螺合締結させる作業が必要であるため、パイプの接続作業又は分離作業に多くの手間と労力がかかり、作業性が悪いという問題点がある。
【０００４】
本発明の解決しようとする課題は、パイプ接続の作業性を高めることができるパイプ接続構造を提供することにある。
【課題を解決するための手段】
【０００５】
上記課題を解決するため請求項１記載のパイプ接続構造は、接続すべき両パイプの管端付近にフランジがそれぞれ固定され、両フランジ同士を接続固定することにより両パイプの管端部を接続するようにしたパイプの接続部構造であって、
前記両フランジ相互間に環状の締結用プレートが介装され、
該締結用プレートの両面には軸部の先端に係合突部を備えた複数の係合ピンがそれぞれ突出形成され、
前記両フランジには前記係合ピンを挿通可能な挿通孔が形成されると共に該挿通孔に挿通された前記係合ピンの軸部を円周方向に回転移動可能な円弧状長孔が前記挿通孔に連続して形成され、
前記両フランジにおける対向面とは反対側の面には前記円弧状長孔に沿って前記係合ピンの係合突部が係合可能で前記挿通孔から遠ざかるにつれて浅くなるテーパー状係合溝が形成されていることを特徴とする手段とした。
【発明の効果】
【０００６】
本発明のパイプ接続構造では、上述のような構成としたことで、両フランジ相互間に環状の締結用プレートを介装させ、該締結用プレートの両面に突出形成された複数の係合ピンを両フランジに形成された挿通孔内に挿通させた後、円弧状長孔が形成された方向に締結用プレートを回転させると、係合ピンの係合突部がテーパー状係合溝の底部に係合された状態で軸部が円形状孔に沿って回転移動することで、テーパー状係合溝のテーパー面に沿って両フランジが締結用プレート方向へ引き寄せられるため、両パイプの管端接続部同士が互いに圧接された状態に接続固定させることができる。
【０００７】
このように、締結用プレートを回転させる操作のみで、両パイプを強固に接続させることができ、これにより、パイプ接続の作業性を高めることができるようになるという効果が得られる。なお、締結用プレートを逆方向に回転させるだけで、両パイプの接続状態を解除させることができる。
【発明を実施するための最良の形態】
【０００８】
以下にこの発明の実施例を図面に基づいて説明する。
【実施例１】
【０００９】
この実施例１のパイプ接続構造は、請求項１〜３に記載の発明に対応する。
【００１０】
まず、この実施例１のパイプ接続構造を図面に基づいて説明する。
【００１１】
図１はこの実施例１のパイプ接続構造を示す縦断面図、図２は図１のＡ矢視図、図３は図１のＢ矢視図、図４は図２のＣ−Ｃ線における断面図、図５は実施例１のパイプ接続構造を示す分解斜視図である。
【００１２】
このパイプ接続構造は、一対のパイプ１、２と、フランジ３、３と、締結用プレート４と、を備えている。
【００１３】
さらに詳述すると、図１に示すように、一方のパイプ１の管端部には断面外向き山形の環状突部１１が形成され、もう一方のパイプ２の管端部には、環状突部１１の端部側斜面１１ａに当接する外向きに拡開されたフレア２１が形成されている。
【００１４】
そして、両パイプ１、２の端部外周には上記フランジ３、３がそれぞれ溶接固定されている。
【００１５】
上記締結用プレート４は、両フランジ３、３を互いに引き寄せて締結固定する役目をなすもので、環状突部１１とフレア２１とで構成される接続部分を挿通可能な孔４１を有する円板状に形成され、両フランジ３、３相互間に介装されている。
【００１６】
また、締結用プレート４は、図５にも示すように、その両面にはその周方向２箇所に係合ピン５がそれぞれ突出形成されている。この係合ピン５は、軸部５１の先端に該軸部５１より大径の係合突部５２が備えられている。
【００１７】
一方、両フランジ３、３には、図２〜５に示すように、両係合ピン５、５をそれぞれ挿通可能な挿通孔３１、３１が形成されると共に、該各挿通孔３１に挿通された係合ピン５の軸部５１を円周方向に回転移動可能な円弧状長孔３２が挿通孔３１に連続して形成されている。
【００１８】
また、両フランジ３、３における対向面とは反対側の面には円弧状長孔３２に沿って係合ピン５の係合突部５２が係合可能で、挿通孔３１から遠ざかるにつれて浅くなるテーパー状係合溝３３がそれぞれ形成されている。
【００１９】
なお、締結用プレート４は、図１〜３に示すように、その外周面に、両フランジ
３、３の外周面より突出する回転操作用突部４１として、締結用プレート５の外周面に沿って歯車の歯状に形成された多数の突状部で構成されている。
【００２０】
次に、この実施例１の作用・効果を説明する。
【００２１】
この実施例１のパイプ接続構造では上述のように構成されるため、両フランジ３、３相互間に環状の締結用プレート４を介装させ、図４の鎖線で示すように、該締結用プレート４の両面２箇所に突出形成された係合ピン５を、図４の鎖線で示すように、両フランジ３、３に形成された挿通孔３１内に挿通させた後、図２の矢印で示すように、円弧状長孔３２が形成された方向に締結用プレート４を回転させると、係合ピン５の係合突部５２がテーパー状係合溝３３の底部に係合された状態で軸部５１が円形状孔３２に沿って回転移動することで、テーパー状係合溝３３のテーパー面に沿って両フランジ３、３が締結用プレート４方向へ引き寄せられるため、両パイプ３、３の管端接続部（環状突部１１とフレア２１）同士が互いに圧接された状態に接続固定させることができる。
【００２２】
このように、締結用プレート４を回転させる操作のみで、両パイプ３、３を強固に接続させることができるため、パイプ接続の作業性を高めることができるようになるという効果が得られる。
【００２３】
なお、締結用プレート４を逆方向に回転させるだけで、両パイプ３、３の接続状態を容易に解除させることができる。
【００２４】
以上本実施例を説明してきたが、本発明は上述の実施例に限られるものではなく、本発明の要旨を逸脱しない範囲の設計変更等があっても、本発明に含まれる。
【００２５】
例えば、実施例では、締結用プレート４の外周面より突出する回転操作用突部４１として、締結用プレート５の外周面に沿って歯車の歯状に形成された多数の突状部で構成されている場合を例に採ったが、その形状は任意であり、手または工具で回転操作が行えればよい。
【００２６】
また、係合ピン５における係合突部の形状は任意である。また、その数も複数であれば２個には限定されない。
【００２７】
尚本発明の対象となる管路は、水道配管等に限らず各種プラント配管、船舶内配管等どのような管路にも適用できるものであり、また係止爪の位置や数並びにボルト・ナット連結との組み合わせは任意である。
【図面の簡単な説明】
【００２８】
【図１】実施例１のパイプ接続構造を示す縦断面図である。
【図２】図１のＡ矢視図である。
【図３】図１のＢ矢視図である。
【図４】図２のＣ−Ｃ線における断面図である。
【図５】実施例１のパイプ接続構造を示す分解斜視図である。
【符号の説明】
【００２９】
１  パイプ
１１  環状突部
１１ａ  管端側斜面
２  パイプ
２１  フレア
３  フランジ
３１  挿通孔
３２  円弧状長孔
３３  テーパー状係合溝
４  締結用プレート
４１  回転操作用突部
５  係合ピン
５１  軸部
５２  係合突部
【図１】
2008095814.tif 000003
【図２】
2008095814.tif 000004
【図３】
2008095814.tif 000005
【図４】
2008095814.tif 000006
【図５】
2008095814.tif 000007